(57)【要約】【課題】  遊技場内における演出効果を好適に高めることができる告知プレートを提供する。【解決手段】  告知プレート１０は、遊技機の周辺部位に設けられたキャッチプレート１１に固定される支持部１２と、該支持部１２に接続部１３を介して支持されている告知表示部１４とを備えている。接続部１３は、可撓性を有する材料であるボールチェーンから形成されているため、告知表示部１４は、支持部１２に対し、揺動自在あるいは回動自在に構成されている。【選択図】      図１
2007130275.tif 000002
【特許請求の範囲】
【請求項１】
遊技機の周辺部位に固定される支持部と、該支持部に接続部を介して支持されている告知表示部とを備えており、該接続部が可撓性を有する材料で形成されていることを特徴とする告知プレート。
【請求項２】
該告知表示部は、その上部において、該支持部に接続部を介して一点支持されている請求項１に記載の告知プレート。
【請求項３】
該可撓性を有する材料は、線材であり、該線材からなる接続部を介して、該告知表示部は、該支持部に吊り下げられている請求項１又は請求項２に記載の告知プレート。
【発明の詳細な説明】
【技術分野】
【０００１】
本発明は、遊技者の操作に基づく遊技の進行に伴って遊技状態が変化する遊技機が設置された遊技場において、所定の情報を遊技者に告知するための告知プレートに関するものである。
【背景技術】
【０００２】
従来、パチンコ機等のような、遊技者の操作に基づく遊技の進行に伴って遊技状態が変化する遊技機が設置された遊技場において、島設備の上部には、告知プレートが取り付けられている。この告知プレートは、大当たり中、確率変動中等といった遊技状態に関する情報、あるいは新台登場等といった遊技機に関する情報等、各種の情報を遊技者に告知するためのものであり、長板状、円板状など様々な形状をなすとともに、その表面には、文字、図柄などによって様々な情報が記載されている。また、こういった告知プレートは、情報を遊技者に告知するものである故、可能な限り遊技者の目を引くように、種々の趣向が凝らされている。例えば、特許文献１及び特許文献２に記載のものは、発光ダイオード（ＬＥＤ）、あるいはエレクトロルミネッセンス素子を用いることにより、電飾が施されている。また、こうした電飾の他に、図柄に立体感を付与する３Ｄ印刷、ホログラム印刷、あるいは図柄が変化するチェンジング印刷、ムービング印刷等といった特殊印刷が施された告知プレートも提供されている。
【０００３】
【特許文献１】特開平１０−３０５１３６号公報
【特許文献２】特開２００４−２２９９８６号公報
【発明の開示】
【発明が解決しようとする課題】
【０００４】
ところが、上記従来の告知プレートにおいては、電飾、特殊印刷によって記載された文字、図柄などが動く、あるいは変化するのみである。また、近時のパチンコ機等といった遊技機は、ＬＥＤ、液晶パネル等を用いることにより、非常に派手な趣向を凝らしたものが多く、電飾、特殊印刷が施された告知プレート以上に遊技者の目を引くものとなっている。従って、遊技場内において、文字、図柄などが動く、あるいは変化するのみの告知プレートは、演出に欠ける傾向があった。
本発明は、このような従来技術に存在する問題点に着目してなされたものである。その目的とするところは、遊技場内における演出効果を好適に高めることができる告知プレートを提供することにある。
【課題を解決するための手段】
【０００５】
上記の目的を達成するために、請求項１に記載の告知プレートの発明は、遊技機の周辺部位に固定される支持部と、該支持部に接続部を介して支持されている告知表示部とを備えており、該接続部が可撓性を有する材料で形成されていることを要旨とする。
上記構成によれば、支持部と告知表示部とを繋ぐ接続部が可撓性を有する材料で形成されているため、告知表示部は、支持部に対し、可動できるようになっている。このように告知表示部そのものが可動するように構成した結果、遊技場内における演出効果を好適に高めることができ、告知プレートが遊技者の目を引きやすいものとなる。
【０００６】
請求項２に記載の発明は、請求項１に記載の告知プレートの発明において、該告知表示部は、その上部において、該支持部に接続部を介して一点支持されていることを要旨とする。
上記構成によれば、告知表示部が支持部に一点支持されているため、告知表示部の可動の自由度が高まる。
【０００７】
請求項３に記載の発明は、請求項１又は請求項２に記載の告知プレートの発明において、該可撓性を有する材料は、線材であり、該線材からなる接続部を介して、該告知表示部は、該支持部に吊り下げられていることを要旨とする。
上記構成によれば、接続部を紐状の線材で形成し、さらに告知表示部を支持部に吊り下げることにより、支持部に対して告知表示部を揺動、回動及び回転させることができる。
【発明の効果】
【０００８】
本発明によれば、遊技場内における演出効果を好適に高めることができる。
【発明を実施するための最良の形態】
【０００９】
以下、本発明の告知プレートを具体化した一実施形態について説明する。
遊技場において、パチンコ機、パチスロ機等といった遊技機は、島設備と総称される玉供給装置、コイン供給装置等に組み込まれて設置されている。そして、該遊技機の周辺部位となる島設備の上部には、各遊技機に対応してキャッチプレートがそれぞれ設けられており、これらキャッチプレートに告知プレートが支持固定されるようになっている。
【００１０】
図１に示すように、本発明の告知プレート１０は、遊技機における大当たり中、確率変動中等の遊技状態、新機種入荷の情報を遊技者に告知するためのものであり、図中に二点鎖線で示すキャッチプレート１１に対し、着脱可能に支持固定されている。該告知プレート１０は、支持部１２と、該支持部１２に接続部１３を介して支持されている告知表示部１４とを備えている。
【００１１】
前記支持部１２は、円環状をなす支持枠１２ａと、該支持枠１２ａの外周縁から横方向へ延出された差込部１２ｂとからなる。該支持枠１２ａは、前記接続部１３が取り付けられて前記告知表示部１４を支持するものである。該支持枠１２ａの上部には、前記接続部１３を取り付けるための取付穴１２ｃが設けられている。該差込部１２ｂは、当該支持部１２を前記キャッチプレート１１に対し、着脱可能に支持固定させるためのものであり、前記キャッチプレート１１に差し込み自在、かつ前記キャッチプレート１１から引き抜き自在に構成されている。
【００１２】
前記接続部１３は、可撓性を有する材料で形成されている。この可撓性を有する材料には、合成樹脂、ゴム、紙、繊維等のように、柔軟性、弾性等を有することによって材質的に可撓性を有するものと、鎖状、紐状の線材、短冊状の帯材等のような形状とすることによって形状的に可撓性を有するものとが挙げられる。また、針金、樹脂製ベルト、樹脂製チェーン、合成繊維等のように材質及び形状の双方で可撓性を有する材料もある。本実施形態の可撓性を有する材料としては、支持枠１２ａに対する告知表示部１４の移動の自由度を高くできるとともに、扱いやすく、支持枠１２ａと告知表示部１４とを接続しやすいという観点から、鎖状の線材が好ましく、入手が容易であり、繋ぎやすく、コストが安いという観点から、ボールチェーンが特に好ましい。
【００１３】
前記告知表示部１４は、円板状に形成されている。該告知表示部１４の上部には、前記接続部１３を取り付けるための貫通穴１４ａが設けられている。そして、該告知表示部１４は、該貫通穴１４ａと、前記支持枠１２ａの取付穴１２ｃとに前記接続部１３であるボールチェーンを挿通することにより、前記支持枠１２ａに接続されている。また、前記支持枠１２ａに接続された状態にある該告知表示部１４は、その上部において、前記接続部１３であるボールチェーンを介して一点支持されており、前記支持枠１２ａの内側に吊り下げられている。
【００１４】
該告知表示部１４は、その直径が前記支持枠１２ａの内径よりも小さくなっており、該告知表示部１４の外周縁と、前記支持枠１２ａの内周縁との間には、隙間１５が設けられている。該隙間１５が設けられることにより、前記接続部１３であるボールチェーンを介して前記支持枠１２ａの内側に吊り下げられた該告知表示部１４は、前記支持枠１２ａに対して自由に揺動、あるいは回動できるように構成されている。また、該告知表示部１４の表面には、遊技者への告知情報として、「新台投入」の文字が印刷されている。さらに、該印刷は、見る角度に応じて図柄が変化する、いわゆるチェンジング印刷である。このため、該告知表示部１４が前記支持枠１２ａに対して揺動、あるいは回動した場合、図２に示すように、図柄である「新台投入」の文字が「無制限」の文字に変化するようになっている。なお、特に図示はしないが、該告知表示部１４の裏面にも、異なる図柄のチェンジング印刷が施されている。
【００１５】
次に、上記告知プレートの作用について以下に記載する。
さて、島設備の上部において、キャッチプレート１１に支持固定された告知プレート１０には、遊技場内に設置された空調設備から吹き出す空調空気が当たる。このときの告知プレート１０において、支持枠１２ａは、差込部１２ｂを介してキャッチプレート１１に支持固定されているが、しかし、告知表示部１４は、接続部１３であるボールチェーンを介して該支持枠１２ａの内側に吊り下げられているため、空調空気が当たることにより、自由に揺動、あるいは回動して動く。すると、該告知表示部１４の動きに合わせ、遊技者から見える図柄が変化する。このように、当該告知プレート１０においては、まず告知表示部１４が揺動、あるいは回動して動くことにより、遊技者の目に留まりやすくなり、また告知表示部１４に印刷された図柄が告知表示部１４の動きに応じて変化することにより、演出効果が高まるため、告知プレート１０が遊技者の目を引きやすいものとなる。
【００１６】
なお、上記実施形態の告知プレート１０においては、必ずしも接続部１３をボールチェーンにする必要はなく、金属製あるいは樹脂製の棒材、線材等としてもよい。また、接続部１３を棒材、線材等とする場合、必ずしも告知表示部１４を上方から吊り下げる必要はなく、告知表示部１４を下方、あるいは側方から支持するように構成してもよい。また、告知表示部１４の印刷は、実施形態のチェンジング印刷に限らず、通常印刷、プリズム印刷、３Ｄ印刷等としてもよく、さらに表面と裏面とで異なる印刷としてもよい。また、告知表示部１４は、必ずしもその上部において一点支持される必要はなく、上部及び下部、あるいは両側方における二点支持、さらには三点以上で支持してもよい。また、告知プレート１０において、支持部１２、接続部１３及び告知表示部１４は、必ずしも別部材とする必要はなく、例えば紙、薄板等のシート材を切り抜く等して、支持部１２、接続部１３及び告知表示部１４を一体に形成してもよい。また、告知プレート１０の全体形状は、必ずしも実施形態のような略円形状とする必要はなく、長板状、三角形状、多角形状などとしてもよい。また、告知プレート１０の全体形状に限らず、例えば支持部１２のみを４半円弧状、半円弧状、Ｌ字状、Ｖ字状にしたり、告知表示部１４のみを長板状、三角形状、多角形状にしたりする等、支持部１２又は告知表示部１４のうち何れか一方のみを略円形状以外の形状としてもよい。
【図面の簡単な説明】
【００１７】
【図１】実施形態の告知プレートを示す正面図。
【図２】告知プレートにおいて、告知表示部が回動した状態を示す正面図。
【符号の説明】
【００１８】
１０…告知プレート、１２…支持部、１３…接続部、１４…告知表示部。
【図１】
2007130275.tif 000003
【図２】
2007130275.tif 000004